(57)【要約】【課題】吸収体のフィット性を向上させるとともに、吸収体の崩れを抑制する。【解決手段】上記課題を解決した吸収性物品は、少なくとも短繊維状の吸収素材が積繊された吸収体５６と、この吸収体５６を包む包装シート５８とを含む吸収要素５０を有し、包装シート５８は、吸収体５６の表側を覆う第１部分５８ａ及び吸収体５６の裏側を覆う第２部分５８ｂを有し、吸収体５６の両側縁は、前後方向に間隔を空けた複数個所で、幅方向内側に入り込む凹部７１を有しており、吸収体５６よりも裏側に、凹部７１と重なる部分を含む複数のシートを有し、複数のシートのうち隣接する一対のシートは、凹部７１と重なる部分で接着されておらず、少なくとも装着状態で、凹部７１が前後方向に閉じるように吸収体５６が変形するとともに、包装シート５８の第２部分５８ｂのうち凹部７１と重なる部分５８ｃが、凹部７１の前縁及び後縁を折り位置として凹部７１の前縁及び後縁の間に折り込まれるようになっているものである。【選択図】図７
2020049017.tif 000002
【特許請求の範囲】
【請求項１】
股間部を含む範囲に設けられた吸収要素と、
前記吸収要素の表側を覆う液透過性のトップシートと、
前記吸収要素の裏側を覆う液不透過性シートとを有し、
前記吸収要素は、少なくとも短繊維状の吸収素材が積繊された吸収体と、この吸収体を包む包装シートとを含むものであり、
前記包装シートは、前記吸収体の表側を覆う第１部分及び前記吸収体の裏側を覆う第２部分を有し、
前記吸収体の両側縁は、前後方向に間隔を空けた複数個所で、幅方向内側に入り込む凹部を有しており、
前記吸収体よりも裏側に、前記凹部と重なる部分を含む複数のシートを有し、
前記複数のシートのうち隣接する一対のシートは、前記凹部と重なる部分で接着されておらず、
少なくとも装着状態で、前記凹部が前後方向に閉じるように前記吸収体が変形するとともに、前記包装シートの第２部分のうち前記凹部と重なる部分が、前記凹部の前縁及び後縁を折り位置として前記凹部の前縁及び後縁の間に折り込まれるようになっている、
ことを特徴とする吸収性物品。
【請求項２】
前記凹部と重なる部分及びその側方の部分の少なくとも一方に設けられたサイド弾性部材を有し、
前記隣接する一対のシートは、前記サイド弾性部材よりも表側に位置しており、
自然長の状態で、前記サイド弾性部材の収縮力により前記凹部が前後方向に閉じるようになっている、
請求項１記載の吸収性物品。
【請求項３】
前記サイド弾性部材として、前記凹部の前後両側にわたる細長状のサイド弾性部材が幅方向に間隔を空けて複数配され、
幅方向の外側に位置するサイド弾性部材ほど、展開状態における伸長率が高い、
請求項２記載の吸収性物品。
【請求項４】
前記凹部は、幅方向の内側に位置する頂点から幅方向外側に向かうにつれて前後方向の間隔が拡大する形状を有し、
前記凹部は、展開状態における前後方向の寸法が１０〜３０ｍｍであり、かつ展開状態における幅方向の寸法が１０〜４０ｍｍであり、
前記凹部は、幅方向の両側に、前後方向に間隔を空けて３個以上形成され、
少なくとも１つの凹部は股間部に位置しており、
前記吸収体の両側縁は、幅方向の中心を通る中心線に関して線対称をなしており、
幅方向両側のそれぞれで、前記凹部における幅方向の内側に位置する頂点が、前記吸収体の側方に曲率中心を有する曲線上に位置している、
請求項１〜３のいずれか１項に記載の吸収性物品。
【請求項５】
幅方向の両側から起き上がる起き上がりギャザーをそれぞれ備え、
前記起き上がりギャザーは、前記包装シートの第２部分より裏側に設けられた付根部分と、この付根部分から前記包装シートの側方を経て前記トップシートの表側に至る本体部分と、この本体部分の前後方向両端部及び前後方向中間部のうち、前後方向両端部が倒伏状態で固定されて形成された倒伏部分と、前後方向中間部が非固定とされた形成された自由部分と、この自由部分の少なくとも先端部に前後方向に沿って伸長状態で固定されたギャザー弾性部材と、を有しており、
前記付根部分に、前記サイド弾性部材が内蔵されている、
請求項１〜４のいずれか１項に記載の吸収性物品。
【発明の詳細な説明】
【技術分野】
【０００１】
本発明は、パンツタイプおむつ、テープタイプおむつ、パッドタイプタイプおむつ等や、生理用ナプキン等の使い捨ての吸収性物品に関するものである。
【背景技術】
【０００２】
吸収性物品は、表面を形成するトップシートと、トップシートの裏側に設けられた吸収体とを含み、トップシート上に排泄された排泄液を、トップシートを透過させて吸収体に供給し、吸収体で吸収・保持することを基本とするものである。周知のように、吸収体は高吸収性ポリマーを含有するものが一般的である。この高吸収性ポリマーにより、排泄液は適正量吸収される。
【０００３】
ところで、吸収性物品を展開したときは、吸収体は略平らな形状であるが、吸収性物品を装着者の股間に装着させたときには吸収性物品全体として略舟形（以下、単に船形という）に変形し、それに伴い吸収体も舟形に変形する。
【０００４】
しかしながら、両側部が前後方向に連続している吸収体の場合、舟形に変形するときには、側部が前後方向に圧縮されて不規則に折れ曲がり、吸収体の表面に幅方向に延びる大きな皺（凹凸）が不規則な位置に形成される。吸収体にこのような大きな皺が雑然と形成されると、股間に対するフィット性が低下する。また、排泄液が、望ましくない位置に形成された凹部に集中し、主にその箇所だけで吸収が進行するため、吸収速度が遅くなったり、吸収体の利用効率が低下したりするおそれがある。このような排泄液の集中とそれによる吸収速度の低下は、漏れにつながるおそれがあるため、好ましくない。
【０００５】
吸収体の装着形状への変形を容易にするための手段としては、吸収体の両側縁に、幅方向内側に入り込む凹部を前後方向に間隔を空けて多数設けること（特許文献１参照）等が提案されている。この特許文献１記載のものは、吸収体が舟形に変形するときの皴を防止する手段として特に好ましいものである。
【先行技術文献】
【特許文献】
【０００６】
【特許文献１】特表２０１８−５０８２６５号公報
【特許文献２】特開２０１６−１２３８３６号公報
【特許文献３】特開２０１２−１４３５３５号公報
【特許文献４】特開２０１５−９７７１５号公報
【発明の概要】
【発明が解決しようとする課題】
【０００７】
しかしながら、吸収体の側縁に凹部を設けると、凹部の縁が吸収体を包むシートにより拘束されないため、装着作業時や装着後の装着者の動きにより凹部に力が加わると、凹部の縁が崩れるおそれがあった。
【０００８】
そこで、本発明の主たる課題は、吸収体のフィット性を向上させるとともに、吸収体の崩れを抑制することにある。
【課題を解決するための手段】
【０００９】
上記課題を解決した吸収性物品は以下のとおりである。
＜第１の態様＞
股間部を含む範囲に設けられた吸収要素と、
前記吸収要素の表側を覆う液透過性のトップシートと、
前記吸収要素の裏側を覆う液不透過性シートとを有し、
前記吸収要素は、少なくとも短繊維状の吸収素材が積繊された吸収体と、この吸収体を包む包装シートとを含むものであり、
前記包装シートは、前記吸収体の表側を覆う第１部分及び前記吸収体の裏側を覆う第２部分を有し、
前記吸収体の両側縁は、前後方向に間隔を空けた複数個所で、幅方向内側に入り込む凹部を有しており、
前記吸収体よりも裏側に、前記凹部と重なる部分を含む複数のシートを有し、
前記複数のシートのうち隣接する一対のシートは、前記凹部と重なる部分で接着されておらず、
少なくとも装着状態で、前記凹部が前後方向に閉じるように前記吸収体が変形するとともに、前記包装シートの第２部分のうち前記凹部と重なる部分が、前記凹部の前縁及び後縁を折り位置として前記凹部の前縁及び後縁の間に折り込まれるようになっている、
ことを特徴とする吸収性物品。
【００１０】
（作用効果）
本吸収性物品では、吸収体の両側縁に凹部を設けるだけでなく、凹部と重なる部分に、包装シートよりも裏側のシート間が接着されていない部分が形成されている。そして、その結果、少なくとも装着状態で、凹部が前後方向に閉じつつ吸収体が舟形に変形するとともに、包装シートの第２部分のうち凹部と重なる部分が、凹部の前縁及び後縁を折り位置として前記凹部の前縁及び後縁の間に折り込まれるようになっている。したがって、凹部の縁は、凹部の前縁及び後縁の間に折り込まれた包装シートの第２部分によって被覆されて拘束されるため、このような拘束がないものと比べて崩れにくいものとなる。
なお、凹部の寸法・形状によっては、包装シートの第２部分のうち凹部と重なる部分が、凹部の前縁及び後縁の間を通り凹部の表側に折り出されることとなり、包装シートの第１部分及びトップシートも第２部分と一緒に折れ曲がり、吸収性物品の表面上に突出することになるが、この突出部分は凹部の位置に整然と形成され、不規則な形状とならないため、外観上好ましいものとなるだけでなく、装着感や吸収性能への影響も少ないものとなる。
【００１１】
＜第２の態様＞
前記凹部と重なる部分及びその側方の部分の少なくとも一方に設けられたサイド弾性部材を有し、
前記隣接する一対のシートは、前記サイド弾性部材よりも表側に位置しており、
自然長の状態で、前記サイド弾性部材の収縮力により前記凹部が前後方向に閉じるようになっている、
第１の態様の吸収性物品。
【００１２】
（作用効果）
このようなサイド弾性部材を設けることにより、装着状態でより確実に凹部が閉じるとともに、包装シートの第２部分が凹部に折り込まれ、また、その状態が弾力的に維持されるようになるため好ましい。
【００１３】
＜第３の態様＞
前記サイド弾性部材として、前記凹部の前後両側にわたる細長状のサイド弾性部材が幅方向に間隔を空けて複数配され、
幅方向の外側に位置するサイド弾性部材ほど、展開状態における伸長率が高い、
第２の態様の吸収性物品。
【００１４】
（作用効果）
吸収体が舟形に変形したときに、隙間を小さくするためには、凹部は上記形状であると好ましい。また、その場合、サイド弾性部材を幅方向に間隔を空けて複数設け、幅方向の外側に位置するサイド弾性部材ほど、展開状態における伸長率が高いものとすると、吸収体が舟形に変形したときに、凹部に残る隙間をより小さくすることができるため好ましい。
【００１５】
＜第４の態様＞
前記凹部は、幅方向の内側に位置する頂点から幅方向外側に向かうにつれて前後方向の間隔が拡大する形状を有し、
前記凹部は、展開状態における前後方向の寸法が１０〜３０ｍｍであり、かつ展開状態における幅方向の寸法が１０〜４０ｍｍであり、
前記凹部は、幅方向の両側に、前後方向に間隔を空けて３個以上形成され、
少なくとも１つの凹部は股間部に位置しており、
前記吸収体の両側縁は、幅方向の中心を通る中心線に関して線対称をなしており、
幅方向両側のそれぞれで、前記凹部における幅方向の内側に位置する頂点が、前記吸収体の側方に曲率中心を有する曲線上に位置している、
第１〜３のいずれか１つの態様の吸収性物品。
【００１６】
（作用効果）
凹部の寸法・形状、配置は適宜定めることができるが、本態様のように配置されていると、吸収体が舟形に変形しやすく、変形後の形状も股間部にフィットしやすいものとなるため好ましい。
【００１７】
＜第５の態様＞
幅方向の両側から起き上がる起き上がりギャザーをそれぞれ備え、
前記起き上がりギャザーは、前記包装シートの第２部分より裏側に設けられた付根部分と、この付根部分から前記包装シートの側方を経て前記トップシートの表側に至る本体部分と、この本体部分の前後方向両端部及び前後方向中間部のうち、前後方向両端部が倒伏状態で固定されて形成された倒伏部分と、前後方向中間部が非固定とされた形成された自由部分と、この自由部分の少なくとも先端部に前後方向に沿って伸長状態で固定されたギャザー弾性部材と、を有しており、
前記付根部分は、前記凹部と重なる部分を通り前後方向に延びるとともに、
前記付根部分に、前記サイド弾性部材が内蔵されている、
第１〜４のいずれか１つの態様の吸収性物品。
【００１８】
（作用効果）
サイド弾性部材の取り付け位置は適宜定めることができるが、本態様のように、包装シートの第２部分より裏側に設けられた付根部分を有する起き上がりギャザーを設けるとともに、その付根部分にサイド弾性部材を内蔵させると、サイド弾性部材の取り付けを、ギャザー弾性部材と同時に行うことができ、製造が容易となるため好ましい。
【発明の効果】
【００１９】
本発明によれば、吸収体のフィット性が向上するとともに、吸収体の崩れが抑制される。
【図面の簡単な説明】
【００２０】
【図１】展開状態のパンツタイプ使い捨ておむつの内面を示す、平面図である。
【図２】展開状態のパンツタイプ使い捨ておむつの外面を示す、平面図である。
【図３】図１の２−２断面図である。
【図４】図１の３−３断面図である。
【図５】（ａ）図１の４−４断面図、及び（ｂ）図１の５−５断面図である。
【図６】パンツタイプ使い捨ておむつの斜視図である。
【図７】展開状態のパンツタイプ使い捨ておむつの外面を要部のみ示す、平面図である。
【図８】展開状態の内装体の外面を外装体の輪郭とともに示す、平面図である。
【図９】吸収体の凹部近傍を示す断面図である。
【図１０】舟形の吸収性物品の模式図である。
【図１１】舟形の吸収性物品の側面模式図である。
【図１２】吸収体の平面図である。
【図１３】吸収体の平面図である。
【図１４】凹部の種々の態様を示した図である。
【図１５】吸収体の平面図である。
【図１６】吸収体の平面図である。
【図１７】凹部付近のシートの積層状態を示した説明図である。
【発明を実施するための形態】
【００２１】
以下、パンツタイプ使い捨ておむつの一例について、添付図面を参照しつつ詳説する。断面図における点模様部分は各構成部材を接合する接合手段としての接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２２】
また、以下の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００２３】
さて、図１〜図６は、パンツタイプ使い捨ておむつの一例を示している。本パンツタイプ使い捨ておむつは、前身頃Ｆの少なくとも胴周り部を構成する長方形の前側外装体１２Ｆ及び後身頃Ｂの少なくとも胴周り部を構成する長方形の後側外装体１２Ｂと、前側外装体１２Ｆから股間部を経て後側外装体１２Ｂまで延在するように外装体１２Ｆ，１２Ｂの内側に設けられた内装体２００とを備えており、前側外装体１２Ｆの両側部と後側外装体１２Ｂの両側部とが接合されてサイドシール部１２Ａが形成されることにより、外装体１２Ｆ，１２Ｂの前後端部により形成される開口が装着者の胴を通すウエスト開口ＷＯとなり、内装体２００の幅方向両側において外装体１２Ｆ，１２Ｂの下縁及び内装体２００の側縁によりそれぞれ囲まれる部分が脚を通す脚開口ＬＯとなる。内装体２００は、尿等の排泄物等を吸収保持する部分であり、外装体１２Ｆ，１２Ｂは着用者の身体に対して内装体２００を支えるための部分である。また、符号Ｙは展開状態におけるおむつの全長（前身頃Ｆのウエスト開口ＷＯの縁から後身頃Ｂのウエスト開口ＷＯの縁までの前後方向長さ）を示しており、符号Ｘは展開状態におけるおむつの全幅を示している。
【００２４】
本形態のパンツタイプ使い捨ておむつは、サイドシール部１２Ａを有する前後方向範囲（ウエスト開口ＷＯから脚開口ＬＯの上端に至る前後方向範囲）として定まる胴周り領域Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向ＷＤの伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界がない場合は吸収体５６又は内装体２００よりもウエスト開口ＷＯ側に延び出たウエスト延出部分１２Ｅがウエスト部Ｗとなる。これらの前後方向長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００２５】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側部から装着者の脚周りに接するように延び出た起き上がりギャザー６０を示している。
【００２６】
（トップシート）
トップシート３０は、液を透過する性質を有するものであり、例えば、有孔又は無孔の不織布や、多孔性プラスチックシートなどを例示することができる。
【００２７】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２８】
トップシート３０の両側部は、吸収要素５０の側縁で裏側に折り返しても良く、また折り返さずに吸収要素５０の側縁より側方にはみ出させても良い。
【００２９】
トップシート３０は、裏側の部材に対する位置ずれを防止する等の目的で、ヒートシール、超音波シールのような素材溶着による接合手段や、ホットメルト接着剤により裏側に隣接する部材に固定することが望ましい。図示例では、トップシート３０はその裏面に塗布されたホットメルト接着剤により中間シート４０の表面及び包装シート５８のうち吸収体５６の表側に位置する部分の表面に固定されている。
【００３０】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３１】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３２】
図示例の中間シート４０は、吸収体５６の幅より短く中央に配置されているが、全幅にわたって設けてもよい。中間シート４０の前後方向長さは、おむつの全長と同一でもよいし、吸収要素５０の長さと同一でもよいし、液を受け入れる領域を中心にした短い長さ範囲内であってもよい。
【００３３】
中間シート４０は、裏側の部材に対する位置ずれを防止する等の目的で、ヒートシール、超音波シールのような素材溶着による接合手段や、ホットメルト接着剤により裏側に隣接する部材に固定することが望ましい。図示例では、中間シート４０はその裏面に塗布されたホットメルト接着剤により包装シート５８のうち吸収体５６の表側に位置する部分の表面に固定されている。
【００３４】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができるが、後述するカバー不織布１３とのホットメルト接着剤を介した接着時に十分な接着強度を得るため、樹脂フィルムを用いるのが望ましい。
【００３５】
液不透過性シート１１は、図示のように吸収要素５０の裏側に収まる幅とする他、防漏性を高めるために、吸収要素５０の両側を回り込ませて吸収要素５０のトップシート３０側面の両側部まで延在させることもできる。この延在部の幅は、左右それぞれ５〜２０ｍｍ程度が適当である。
【００３６】
また、液不透過性シート１１の内側、特に吸収体５６側面に、液分の吸収により色が変化する排泄インジケータを設けることができる。
【００３７】
（起き上がりギャザー）
起き上がりギャザー６０は、内装体２００の両側部に沿って前後方向ＬＤの全体にわたり延在し、装着者の脚周りに接して横漏れを防止するために設けられているものであり、一般に立体ギャザーと呼ばれるものや、平面ギャザーと呼ばれるものがこれに含まれる。
【００３８】
図１、図３及び図４に示される起き上がりギャザー６０は、内装体２００の側部から表側に起立するものである。この起き上がりギャザー６０は、付根側部分６０Ｂが幅方向中央側に向かって斜めに起立し、中間部より先端側部分６０Ａが幅方向外側に向かって斜めに起立するものであるが、これに限定されるものではなく、全体として幅方向中央側に起立する形態等、適宜の変更が可能である。
【００３９】
より詳細に説明すると、図示例の起き上がりギャザー６０は、内装体２００の前後方向長さに等しい長さを有する帯状のギャザー不織布６２を、先端となる部分で幅方向ＷＤに折り返して二つに折り重ねるとともに、折り返し部分及びその近傍のシート間に、細長状のギャザー弾性部材６３を長手方向に沿って伸長状態で、幅方向ＷＤに間隔を空けて複数本固定してなるものである。起き上がりギャザー６０のうち先端部と反対側に位置する基端部（幅方向ＷＤにおいてシート折り返し部分と反対側の端部）は、内装体２００における液不透過性シート１１より裏側の側部に固定された付根部分６５とされ、この付根部分６５以外の部分は付根部分６５から延び出る本体部分６６（折り返し部分側の部分）とされている。また、本体部分６６は、幅方向中央側に延びる付根側部分６０Ｂと、この付根側部分６０Ｂの先端で折り返され、幅方向外側に延びる先端側部分６０Ａとを有している。この形態は面接触タイプの起き上がりギャザー６０であるが、幅方向外側に折り返されない線接触タイプの起き上がりギャザー６０も採用することができる。そして、本体部分６６のうち前後方向両端部が倒伏状態でトップシート３０の側部表面に対して固定された倒伏部分６７とされる一方で、これらの間に位置する前後方向中間部は非固定の自由部分６８とされ、この自由部分６８の少なくとも先端部に前後方向ＬＤに沿うギャザー弾性部材６３が伸長状態で固定されている。
【００４０】
以上のように構成された起き上がりギャザー６０では、ギャザー弾性部材６３の収縮力が前後方向両端部を近づけるように作用するが、本体部分６６のうち前後方向両端部が起立しないように固定されるのに対して、それらの間は非固定の自由部分６８とされているため、自由部分６８のみが図３に矢印で示すように身体側に当接するように起立する。特に、付根部分６５が内装体２００の裏側に位置していると、股間部及びその近傍において自由部分６８が幅方向外側に開くように起立するため、起き上がりギャザー６０が脚周りに面で当接するようになり、フィット性が向上するようになる。
【００４１】
図示例の起き上がりギャザー６０のように、本体部分６６が、幅方向中央側に延びる付根側部分６０Ｂと、この付根側部分６０Ｂの先端で折り返され幅方向外側に延びる先端側部分６０Ａとからなる屈曲形態では、倒伏部分６７で、先端側部分６０Ａと付根側部分６０Ｂとが倒伏状態で接合されるとともに、付根側部分６０Ｂが倒伏状態でトップシート３０に接合される。倒伏部分６７における対向面の接合には、種々の塗布方法によるホットメルト接着剤、及びヒートシールや超音波シール等の素材溶着による手段の少なくとも一方を用いることができる。この場合において、付根側部分６０Ｂ及びトップシート３０の接合と、先端側部分６０Ａ及び付根側部分６０Ｂの接合とを同じ手段により行っても、また異なる手段により行っても良い。例えば、付根側部分６０Ｂ及びトップシート３０の接合をホットメルト接着剤により行い、先端側部分６０Ａ及び付根側部分６０Ｂの接合を素材溶着により行うのは一つの好ましい形態である。
【００４２】
ギャザー不織布６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができ、繊維目付けは１０〜３０ｇ／ｍ2程度とするのが好ましい。ギャザー弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたギャザー不織布６２の間に防水フィルム６４を介在させることもでき、この場合には防水フィルム６４の存在部分においてギャザー不織布６２を部分的に省略することもできるが、製品の外観及び肌触りを布のようにするためには、図示例のように、少なくとも起き上がりギャザー６０の基端から先端までの外面がギャザー不織布６２で形成されていることが必要である。
【００４３】
起き上がりギャザー６０の自由部分に設けられるギャザー弾性部材６３の本数は２〜６本が好ましく、３〜５本がより好ましい。配置間隔６０ｄは３〜１０ｍｍが適当である。このように構成すると、ギャザー弾性部材６３を配置した範囲で肌に対して面で当たりやすくなる。先端側だけでなく付根側にもギャザー弾性部材６３を配置しても良い。
【００４４】
起き上がりギャザー６０の自由部分６８では、ギャザー不織布６２の内側層及び外側層の貼り合わせや、その間に挟まれるギャザー弾性部材６３の固定に、種々の塗布方法によるホットメルト接着剤及びヒートシールや超音波シール等の素材溶着による固定手段の少なくとも一方を用いることができる。ギャザー不織布６２の内側層及び外側層の全面を貼り合わせると柔軟性を損ねるため、ギャザー弾性部材６３の接着部以外の部分は接着しないか弱く接着するのが好ましい。図示例では、コームガンやシュアラップノズル等の塗布手段によりギャザー弾性部材６３の外周面にのみホットメルト接着剤を塗布してギャザー不織布６２の内側層及び外側層間に挟むことにより、当該ギャザー弾性部材６３の外周面に塗布したホットメルト接着剤のみで、ギャザー不織布６２の内側層及び外側層へのギャザー弾性部材６３の固定と、ギャザー不織布６２の内側層及び外側層間の固定とを行う構造となっている。
【００４５】
同様に、起き上がりギャザー６０に組み込まれる防水フィルム６４とギャザー不織布６２との固定や、倒伏部分６７の固定についても、種々の塗布方法によるホットメルト接着剤、及びヒートシールや超音波シール等の素材溶着による手段の少なくとも一方を用いることができる。
【００４６】
図示例の起き上がりギャザー６０の寸法は適宜定めることができるが、乳幼児用紙おむつの場合は、例えば図３に示すように、起き上がりギャザー６０の起立高さ（展開状態における本体部分６６の幅方向長さ）Ｗ２は１５〜６０ｍｍ、特に２０〜４０ｍｍであるのが好ましい。また、起き上がりギャザー６０をトップシート３０表面と平行になるように、平坦に折り畳んだ状態において最も内側に位置する折り目間の離間距離Ｗ１は６０〜１９０ｍｍ、特に７０〜１４０ｍｍであるのが好ましい。
【００４７】
（吸収要素）
吸収要素５０は、吸収体５６と、この吸収体５６の全体を包む包装シート５８とを有する。
【００４８】
（吸収体）
吸収体５６は、少なくとも短繊維状の吸収素材が積繊されたものである。短繊維状の吸収素材としては、パルプ繊維が好ましいが、合成繊維であってもよい。繊維目付けとしては、例えば１００〜３００ｇ／ｍ2程度とすることができ。吸収体５６中には高吸収性ポリマー粒子を分散保持させるのが好ましい。
【００４９】
吸収体５６は長方形形状でも良いが、図７等にも示すように、前後方向中間に、その前後両側よりも幅が狭い括れ部５６Ｎとを有する砂時計形状をなしていると、吸収体５６自体と起き上がりギャザー６０の、脚周りへのフィット性が向上するため好ましい。
【００５０】
また、吸収体５６の寸法は排尿口位置の前後左右にわたる限り適宜定めることができるが、前後方向ＬＤ及び幅方向ＷＤにおいて、内装体２００の周縁部又はその近傍まで延在しているのが好ましい。なお、符号５６Ｘは吸収体５６の全幅を示している。
【００５１】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の使い捨ておむつに使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００５２】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５３】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００５４】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００５５】
高吸収性ポリマー粒子の目付け量は、当該吸収体５６の用途で要求される吸収量に応じて適宜定めることができる。したがって一概にはいえないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５６】
必要であれば、高吸収性ポリマー粒子は、吸収体５６の平面方向で散布密度あるいは散布量を調整できる。例えば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００５７】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５８】
包装シート５８の包装形態は適宜定めることができるが、製造容易性や前後側縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００５９】
（外装体）
外装体１２Ｆ，１２Ｂは、前身頃Ｆから後身頃Ｂにかけて股間を通り連続する一体的なものとすることもできるが、図示例では、前身頃Ｆの少なくとも胴周り部を構成する部分である長方形の前側外装体１２Ｆと、後身頃Ｂの少なくとも胴周り部を構成する部分である長方形の後側外装体１２Ｂとからなり、前側外装体１２Ｆ及び後側外装体１２Ｂは股間側で連続しておらず、前後方向ＬＤに離間されたものとなっている。この離間距離１２ｄは例えば１５０〜２５０ｍｍ程度とすることができる。
【００６０】
外装体１２Ｆ，１２Ｂは、胴周り領域Ｔと対応する前後方向範囲である胴周り部を有する。また、本形態では、前側外装体１２Ｆよりも後側外装体１２Ｂの方が前後方向寸法が長くなっており、前側外装体１２Ｆには中間領域Ｌと対応する部分を有していないが、後側外装体１２Ｂは胴周り領域Ｔから中間領域Ｌ側に延び出た臀部カバー部Ｃを有している。図示しないが、前側外装体１２Ｆにも胴周り領域Ｔから中間領域Ｌ側に延び出る鼠蹊カバー部を設けても良い。
【００６１】
後側外装体１２Ｂの前後方向ＬＤの長さは、適宜定めることができるが、サイドシール部１２Ａの前後方向ＬＤの長さの１．１〜１．５倍とすることが好ましい。
【００６２】
外装体１２Ｆ，１２Ｂは、図４及び図５に示されるように、後述する弾性部材１５〜１９の外側及び内側にそれぞれ位置する外側シート層１２Ｓ及び内側シート層１２Ｈがホットメルト接着剤や溶着等の接合手段により接合されたものである。外側シート層１２Ｓを形成するシート材及び内側シート層１２Ｈを形成するシート材は、共通の一枚のシート材とする他、個別のシート材とすることもできる。すなわち、前者の場合、外装体の一部又は全部において、ウエスト開口ＷＯの縁（股間側の縁としても良い）で折り返された一枚のシート材の内側の部分及び外側の部分により内側シート層１２Ｈ及び外側シート層１２Ｓがそれぞれ形成される。なお、前者の形態では、シート材の資材数が少ないという利点があり、後者の形態では内側シート層１２Ｈ及び外側シート層１２Ｓを貼り合わせる際に位置ずれしにくいという利点がある。図示例は後者に相当するものであり、内側シート層１２Ｈを形成するシート材はウエスト開口ＷＯの縁までしか延在していないが、外側シート層１２Ｓを形成するシート材は、内側シート層１２Ｈのシート材のウエスト開口ＷＯ側の縁を回り込んでその内側に折り返されており、この折り返し部分１２ｒは内装体２００のウエスト開口ＷＯ側の端部上までを被覆するように延在されている。
【００６３】
外側シート層１２Ｓ及び内側シート層１２Ｈに用いるシート材としては、特に限定無く使用できるが不織布が好ましく、例えば、ポリエチレンやポリプロピレン等のオレフィン系、ポリエステル系、ポリアミド系等の合成繊維や、これらから二種以上が使用された混合繊維、複合繊維などからなる不織布を使用することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度とするのが好ましい。
【００６４】
（伸縮領域・非伸縮領域）
外装体１２Ｆ，１２Ｂには、装着者の胴周りに対するフィット性を高めるために、外側シート層１２Ｓ及び内側シート層１２Ｈ間に弾性部材１５〜１９が設けられ、弾性部材の伸縮を伴って幅方向ＷＤに弾性伸縮する伸縮領域Ａ２が形成されている。この伸縮領域Ａ２では、自然長の状態では外側シート層１２Ｓ及び内側シート層１２Ｈが弾性部材の収縮に伴って収縮し、皺又は襞が形成されており、弾性部材の長手方向に伸長すると、外側シート層１２Ｓ及び内側シート層１２Ｈが皺なく伸び切る所定の伸長率まで伸長が可能である。弾性部材１５〜１９としては、糸ゴム等の細長状の弾性部材（図示例）の他、帯状、網状、フィルム状等、公知の弾性部材を特に限定なく用いることができる。弾性部材１５〜１９としては合成ゴムを用いても、天然ゴムを用いても良い。
【００６５】
外装体１２Ｆ，１２Ｂにおける外側シート層１２Ｓ及び内側シート層１２Ｈの貼り合わせや、その間に挟まれる弾性部材１５〜１９の固定には、種々の塗布方法によるホットメルト接着剤及びヒートシールや超音波シール等の素材溶着による固定手段の少なくとも一方を用いることができる。外装体１２Ｆ，１２Ｂ全面を強固に固定すると柔軟性を損ねるため、弾性部材１５〜１９の接着部以外の部分は接着しないか弱く接着するのが好ましい。図示例では、コームガンやシュアラップノズル等の塗布手段により弾性部材１５〜１９の外周面にのみホットメルト接着剤を塗布して両シート層１２Ｓ，１２Ｈ間に挟むことにより、当該弾性部材１５〜１９の外周面に塗布したホットメルト接着剤のみで、両シート層１２Ｓ，１２Ｈへの弾性部材１５〜１９の固定と、両シート層１２Ｓ，１２Ｈ間の固定とを行う構造となっている。弾性部材１５〜１９は伸縮領域における伸縮方向の両端部のみ、外側シート層１２Ｓ及び内側シート層１２Ｈに固定することができる。
【００６６】
図示例の弾性部材１５〜１９についてより詳細に説明すると、外装体１２Ｆ，１２Ｂのウエスト部Ｗにおける外側シート層１２Ｓ及び内側シート層１２Ｈ間には、幅方向ＷＤの全体にわたり連続するように、複数のウエスト部弾性部材１７が前後方向に間隔を空けて取り付けられている。また、ウエスト部弾性部材１７のうち、ウエスト下方部Ｕに隣接する領域に配設される１本又は複数本については、内装体２００と重なっていてもよいし、内装体２００と重なる幅方向中央部を除いてその幅方向両側にそれぞれ設けてもよい。このウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度設けるのが好ましく、これによるウエスト部Ｗの幅方向ＷＤの伸長率は１５０〜４００％、特に２２０〜３２０％程度であるのが好ましい。また、ウエスト部Ｗは、その前後方向ＬＤの全てに同じ太さのウエスト部弾性部材１７を用いたり、同じ伸長率にしたりする必要はなく、例えばウエスト部Ｗの上部と下部で弾性部材１７の太さや伸長率が異なるようにしてもよい。
【００６７】
また、外装体１２Ｆ，１２Ｂのウエスト下方部Ｕにおける外側シート層１２Ｓ及び内側シート層１２Ｈ間には、細長状の弾性部材からなるウエスト下方部弾性部材１５，１９が複数本、前後方向に間隔を空けて取り付けられている。
【００６８】
ウエスト下方部弾性部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度設けるのが好ましく、これによるウエスト下方部Ｕの幅方向ＷＤの伸長率は２００〜３５０％、特に２４０〜３００％程度であるのが好ましい。
【００６９】
また、後側外装体１２Ｂの臀部カバー部Ｃにおける外側シート層１２Ｓ及び内側シート層１２Ｈ間には、細長状の弾性部材からなるカバー部弾性部材１６が取り付けられている。臀部カバー部Ｃはカバー部弾性部材１６により幅方向ＷＤ中央側に収縮している。
【００７０】
カバー部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを設けるのが好ましく、これによる臀部カバー部Ｃの幅方向ＷＤの伸長率は１５０〜４００％、特に２５０〜３５０％であるのが好ましい。
【００７１】
他方、前側外装体１２Ｆに鼠径カバー部を設ける場合には、臀部カバー部Ｃと同様にカバー部弾性部材を設けることができる。
【００７２】
図示例のウエスト下方部Ｕや臀部カバー部Ｃのように、吸収体５６を有する前後方向範囲に弾性部材１５，１６，１９を設ける場合には、その一部又は全部において吸収体５６の幅方向ＷＤの収縮を防止するために、吸収体５６と幅方向ＷＤに重なる部分の一部又は全部を含む幅方向中間（好ましくは内外接合部２０１，２０２の全体を含む）が非伸縮領域Ａ１とされ、その幅方向両側が伸縮領域Ａ２とされる。ウエスト部Ｗは幅方向ＷＤの全体にわたり伸縮領域Ａ２とされるのが好ましいが、ウエスト下方部Ｕと同様に、幅方向中間に非伸縮領域Ａ１を設けても良い。
【００７３】
このような伸縮領域Ａ２及び非伸縮領域Ａ１は、内側シート層１２Ｈと、外側シート層１２Ｓとの間に、弾性部材１５〜１７，１９を供給し、弾性部材１５，１６，１９を伸縮領域Ａ２における少なくとも伸縮方向の両端部でホットメルト接着剤を介して固定し、非伸縮領域Ａ１となる領域では固定せず、非伸縮領域Ａ１となる領域において、弾性部材１５，１６，１９を加圧及び加熱により幅方向中間の１か所で切断するか、又は多数個所で細かく切断し、伸縮領域Ａ２に伸縮性を残しつつ非伸縮領域Ａ１では伸縮性を殺すことにより構築することができる。前者の場合、図４に示すように、非伸縮領域Ａ１には、伸縮領域Ａ２の弾性部材１５，１６，１９から連続する切断残部が不要弾性部材１８として単独で自然長まで収縮した状態で、外側シート層１２Ｓ及び内側シート層１２Ｈ間に残ることとなり、後者の場合、図示しないが、伸縮領域Ａ２の弾性部材１５，１６，１９から連続する切断残部、及び両方の伸縮領域Ａ２の弾性部材１５，１６，１９と連続しない弾性部材の切断片が不要弾性部材として単独で自然長まで収縮した状態で、外側シート層１２Ｓ及び内側シート層１２Ｈ間に残ることになる。
【００７４】
（カバー不織布）
外装二分割タイプのパンツタイプ使い捨ておむつでは、前側外装体１２Ｆ及び後側外装体１２Ｂとの間に内装体２００が露出するため、内装体２００の裏面に液不透過性シート１１が露出しないように、前側外装体１２Ｆと内装体２００との間から、後側外装体１２Ｂと内装体２００との間にかけて、内装体２００の裏面を覆うカバー不織布１３を備えていることが好ましい。
【００７５】
カバー不織布１３に用いる不織布は、例えば外装体１２Ｆ，１２Ｂの素材と同様のものを適宜選択することができる等、繊維の種類や、繊維の結合（交絡）方法により特に限定されるものではないが、エアスルー不織布を用いることが望ましく、その場合の目付けは２０〜４０ｇ／ｍ2、厚みは０．３〜１．０ｍｍであると好ましい。
【００７６】
カバー不織布１３の前後方向範囲は特に限定されず、図２及び図５に示すように、内装体２００の前端から後端までの全体にわたり前後方向ＬＤに延在していてもよく、図８に示すように、前側外装体１２Ｆと内装体２００とが重なる領域の前後方向中間位置から後側外装体１２Ｂと内装体２００とが重なる領域の前後方向中間位置まで前後方向ＬＤに延在していてもよい。また、図８に示す例の場合、カバー不織布１３と前側外装体１２Ｆとの重なり部分の前後方向長さ１３ｙ、及びカバー不織布１３と後側外装体１２Ｂとの重なり部分の前後方向長さ１３ｙは適宜定めることができるが、通常の場合それぞれ２０〜４０ｍｍ程度とすることができる。
【００７７】
カバー不織布１３の幅方向範囲は、液不透過性シート１１の裏面露出部分を隠しうる範囲とされる。このため、図示例では、左右の起き上がりギャザー６０の基端の間に液不透過性シート１１が露出するため、少なくとも一方の起き上がりギャザー６０の基端部の裏側から他方の起き上がりギャザー６０の基端部の裏側までの幅方向範囲を覆うようにカバー不織布１３が設けられている。これにより、液不透過性シート１１をカバー不織布１３と起き上がりギャザー６０のギャザー不織布６２とで隠蔽することができる。また、カバー不織布１３の幅方向両端部が起き上がりギャザー６０の基端部の裏側を覆うのではなく、ギャザー不織布６２がカバー不織布１３の幅方向両端部の裏側を覆うようにしても、カバー不織布１３とギャザー不織布６２とで液不透過性シート１１を隠蔽することは可能である。この場合、カバー不織布１３の両側部がギャザー不織布６２により覆われるため、カバー不織布１３の両側部が液不透過性シート１１から剥がれにくくなるという利点がある。
【００７８】
（内外接合部）
内装体２００の外装体１２Ｆ，１２Ｂに対する固定は、ヒートシール、超音波シールのような素材溶着による接合手段や、ホットメルト接着剤により行うことができる。図示例では、内装体２００の裏面、つまりこの場合は液不透過性シート１１の裏面及び起き上がりギャザー６０の付根部分６５に塗布されたホットメルト接着剤を介して外装体１２Ｆ，１２Ｂの内面に対して固定されている。この内装体２００と外装体１２Ｆ，１２Ｂとを固定する内外接合部２０１，２０２は、図２に示すように、両者が重なる領域のほぼ全体に設けることができ、例えば内装体２００の幅方向両端部を除いた部分に設けることもできる。
【００７９】
（吸収体の凹部）
図７は、展吸収体５６と包装シート５８からなる吸収要素５０と、サイド弾性部材６３ａの配置を示している。特徴的には、吸収体５６は両側縁に、前後方向ＬＤに間隔を空けた複数個所で、幅方向ＷＤの内側に入り込む凹部７１を有している。図９は、吸収体５６の凹部７１近傍を示す断面図であり、（ａ）は凹部７１が開いた状態、（ｂ）は凹部７１が閉じた状態を示している。図１０は、吸収性物品を舟形にしたときの模式図である。図１１は、吸収性物品を舟形にしたときの側面から見た模式図である。図１２は、砂時計形状の吸収体５６に凹部７１を設けた図である。図１３は、図１２の変形例である。図１４は、凹部７１の他の態様の例を示した図である。図１６は、略長方形状の吸収体５６に凹部７１を設けた図である。図１７は、シートが複数積層された態様の一例の説明図であり、凹部７１付近を説明するものである。シートは身体側からトップシート３０、吸収要素５０（包装シート５８）、吸収体よりも裏側に、前記凹部と重なる部分を含む複数のシートの順で表面から裏面に向かって重なる。凹部７１を有する吸収体５６は包装シート５８で包まれている。
【００８０】
吸収体５６は、一層構造に形成しているが、身体側の上層吸収体と反身体側の下層吸収体の二層構造に形成することもできる。吸収体５６が二層以上の層構造を有している場合、凹部７１はすべての層に重なるように設けられる。平面視において吸収体５６は砂時計形状に形成しているが、略長方形状等に形成することもできる。
【００８１】
凹部７１は、吸収体５６の幅方向の内側に位置する頂点から幅方向外側に向かうにつれて前後方向の間隔が拡大する形状の他、方形状、角丸方形状にするとよい（図１４参照）。しかしながらこれらに限るものではない。凹部７１は、前後方向ＬＤの寸法７１Ｗが１０〜３０ｍｍであり、かつ展開状態における幅方向ＷＤの寸法７１Ｌが１０〜４０ｍｍとするとよい（図１６参照）。凹部７１の寸法は適宜定めることができるが、この範囲内であると、吸収体が舟形に変形しやすく、変形後の形状も股間部にフィットしやすいものとなるため好ましい。
【００８２】
凹部７１の数は、各側縁において前後方向ＬＤに間隔を空けて１〜５個、好ましくは３個〜５個とするとよい。そして、一方の側縁当たりの凹部７１の数と、他方の側縁当たりの凹部７１の数を同数とするとよいが、あえて同数としなくてもよい。さらに、両側縁それぞれにおける少なくとも１つの凹部が股間部に位置していると、吸収体の、特に股間部のフィット性を向上させるとともに、崩れを抑制できるからである。
【００８３】
吸収体の両側縁は、幅方向の中心を通る中心線９１に関して線対称をなしていてもよい。また、吸収体５６の幅方向ＷＤの一方の側縁に設けた凹部７１と、他方の側縁に設けた凹部７１は、前後方向ＬＤに沿って相互に、互い違いに配置されてもよい（図１５参照）。
【００８４】
なお、吸収体５６の幅方向ＷＤの両側縁のそれぞれ（一方の側縁及び他方の側縁）に凹部７１を１つ備える場合は、特に限定されないが、吸収体の前後方向ＬＤの中央部に備えるとよい。ここで、中央部とは、例えば、吸収体５６を前後方向ＬＤに３等分した場合の真ん中の部分を示す。吸収体５６を舟形に変形したときに、吸収体５６が湾曲する中央部に凹凸が雑然と発生しやすい。同中央部に凹部７１を備えることで、凹凸の発生を抑制できる。
【００８５】
凹部７１の存在により、装着状態で吸収性物品１００が舟形に変形したときに、吸収体５６も凹部７１が前後方向に閉じつつ、それゆえ凹凸を形成せずに舟形に変形する。
【００８６】
特に、吸収体５６において、図１２に示すように、幅方向両側のそれぞれで、各凹部７１における幅方向の内側に位置する頂点が、吸収体５６の側方に曲率中心を有する曲線８１ａ上に位置するように凹部７１を形成するとよい。このような態様にすることで、装着者の股間部の形状に曲線８１ａが沿うので、吸収体５６が装着者の股間部を確実に覆い、股間部にフィットするので股間部からの液の漏れを確実に防ぐことができる。また、同時に吸収体５６の折れ曲がりによる凹凸が発生し難くなる。
【００８７】
凹部７１を設ける位置は、吸収体５６の幅方向ＷＤの両側縁のそれぞれに、前後方向ＬＤ（長手方向）に沿って間隔を空けて複数設けるとよい。特に、括れ部５６Ｎを有する吸収体５６の場合、括れ部５６Ｎの範囲に凹部７１を設けるとよい。
【００８８】
また、凹部７１、７１、・・・のうち最も後側（背側）の凹部７１は、この凹部７１よりも前側に設けられた凹部７１、７１、・・・よりも大きくするとよい。具体的には、図１３に示すように、最も後側（背側）に位置する凹部７１ａの大きさを、この凹部７１ａよりも腹側に位置する凹部７１ｂ、７１ｃ、７１ｄの大きさよりも大きいものとすると好適である。凹部７１ａは相対的に大きいので、後述するトップシート３０に発生するしわも相対的に大きなものとなり、背側から排泄液が漏れるのを効果的に防止できる。
【００８９】
（包装シートの折り込みについて）
吸収体５６は、包装シート５８で包まれ、吸収要素５０を構成している。図３、図９（ａ）及び図１７に示すように、包装シート５８は、吸収体５６の表側を覆う第１部分５８ａ及び吸収体５６の裏側を覆う第２部分５８ｂを有する。また、吸収体５６よりも裏側に、凹部７１と重なる部分を含む複数のシートを有しており、複数のシートのうち隣接する一対のシートは、凹部７１と重なる非接着部分１０１を有している。この吸収要素５０の身体側（おむつの表面側）には、トップシート３０が備わり、吸収要素５０を覆う。ただし、中間シート４０を備える場合には中間シート４０はトップシート３０と吸収要素５０の間に配される。
このような構成においては、吸収体５６の凹部７１を覆う包装シート５８の第１部分５８ａも、トップシート３０（凹部７１の表面側が中間シート４０で覆われている場合は、中間シート４０を含む。）で覆われている。  
【００９０】
吸収性物品１００に、上記凹部７１が形成された吸収体５６を用いるとともに、上記非接着部１０１を設けると、吸収性物品１００を装着者に装着させるときに、吸収体５６は次のように変形する。
すなわち、吸収体５６は凹部７１を有するため、吸収性物品１００の変形に伴い、吸収体５６は凹部７１を基点に凹部７１が前後方向ＬＤに閉じるように変形を促され、図９（ｂ）に示すように、包装シート５８の第２部分５８ｂのうち凹部７１と重なる部分５８ｃは凹部７１の前縁及び後縁を折り位置として凹部７１の前縁及び後縁の間に折り込まれるようになる。この結果、吸収体５６表面に凹凸が雑然と発生し難くなる。本例では、図９（ｂ）、図１０、及び図１１に示すように、包装シート５８の第１部分５８ａにおける凹部７１と重なる部分及びトップシート３０における凹部７１と重なる部分３０ａも第２部分５８ｂにおける凹部７１と重なる部分５８ｃと一緒に折れ曲がり、吸収性物品１００の表面上に突出する（しわが形成される）ことになる。この結果、凹部７１の縁が吸収体５６を包む包装シート５８により拘束されるため、装着作業時や装着後の装着者の動きにより凹部７１に力が加わっても、凹部７１の縁が崩れにくいものとなる。また、凹部７１を有することで、結果としてトップシート３０に突出して発生するしわの位置や形状、大きさ、数を誘導することができる。また、図１０に示すようにこのしわがあることで、装着者の排泄した排泄液９０がしわに遮られ、背側から排泄液９０が漏れるのを効果的に防ぐことができる。
【００９１】
非接着部１０１は、凹部７１と重なる部分を含む複数のシートのうち、隣接する一対のシートが非接着となっている限り、どの一対のシートが非接着となっていてもよい。図示例の非接着部分１０１は、凹部７１と重なる部分において、トップシート３０のうち吸収体５６の裏側に位置する部分及び包装シート５８の第２部分５８ｂと、ギャザーシート６２及び防水フィルム６４とが非接着となっているが、これに限られるものではない。図示しないが、例えば、立体ギャザー６０の付根部分６５が、吸収要素５０の裏側に位置しない構造では、液不透過性シート１１を凹部７１と重なる部分まで存在させ、包装シート５８と液不透過性シート１１とを非接着とすることにより非接着部分１０１を形成したり、液不透過性シート１１及びカバー不織布１３を凹部７１と重なる部分まで存在させ、それらを非接着とすることにより非接着部分１０１を形成したりすることができる。
【００９２】
凹部７１と重なる部分において、第１部分５８ａと第２部分５８ｂとはホットメルト接着剤や溶着等の接合手段により接合されていることが好ましいが、接合されていなくてもよい。また、他の部材は、凹部７１と重なる部分において、上記非接着部分１０１を除き、対向面同士がホットメルト接着剤や溶着等の接合手段により接合されていることが好ましいが、接合されていなくてもよい。
【００９３】
（サイド弾性部材）
吸収体の５６の凹部７１と重なる部分及びその側方の部分の少なくとも一方にはサイド弾性部材６３ａが設けられており、前述の隣接する一対のシートは、サイド弾性部材６３ａよりも表側（裏側でもよい）に位置しており、自然長の状態で、サイド弾性部材６３ａの収縮力により凹部７１が前後方向に閉じるようになっていると好ましい。サイド弾性部材６３ａ、６３ａの一端は、少なくとも最も前側（腹側）に設けられた凹部７１よりも前側（腹側）まで配するとよい。また、サイド弾性部材６３ａ、６３ａの他端は、最も後側（背側）に設けられた凹部７１よりも後側（背側）まで配するとよい。
【００９４】
サイド弾性部材６３ａ、６３ａは幅方向両側のそれぞれで各凹部７１における幅方向の内側に位置する頂点が、吸収体５６の側方に曲率中心を有する曲線８１ａよりも吸収体５６の幅方向ＷＤの外側に配するようにするとよい。
【００９５】
幅方向の両側にこのサイド弾性部材６３ａ、６３ａを有すると、図９（ｂ）に示すように、吸収要素５０は前後方向ＬＤに収縮力を受け、装着状態でより確実に凹部７１が閉じるとともに、包装シート５８における凹部７１と重なる部分５８ｃが凹部７１に折り込まれて、身体側に突出しやすくなる。また、その状態が弾力的に維持される。
【００９６】
サイド弾性部材６３は凹部７１と重なる部分及びその側方の部分の少なくとも一方を構成するシートの間に設けることができる。特に限定されないが、例えば、起き上がりギャザー６０の付根部分６５や、液不透過性シート１１、カバー不織布１３、内側シート１２Ｈ、外側シート１２Ｓのいずれかのシートの間であってもよい。
【００９７】
サイド弾性部材６３は複数本配することができる。例えば、サイド弾性部材６３として、凹部７１の前後両側にわたる細長状のサイド弾性部材６３が幅方向に間隔を空けて複数配され、幅方向ＷＤの外側に位置するサイド弾性部材６３ほど、展開状態における伸長率が高いものとするのは好ましい。しかしながらこれら複数本配されたサイド弾性部材６３ａ、６３ｂ、６３ｃ、・・・の展開状態における伸長率が全て同じとしてもよい。
【００９８】
吸収体５６が舟形に変形したときに、凹部７１の隙間を小さくするためには、凹部７１は前述の形状、特に吸収体５６の幅方向ＷＤの内側に位置する頂点から幅方向ＷＤの外側に向かうにつれて前後方向ＬＤの間隔が拡大する形状であると好ましい。また、その場合、サイド弾性部材６３を幅方向に間隔を空けて複数設け、幅方向の外側に位置するサイド弾性部材６３ほど、展開状態における伸長率が高いものとすると、吸収体５６が舟形に変形したときに、凹部７１に残る隙間をより小さくすることができ、装着者に吸収体５６がフィットするため好ましい。
また、吸収性物品１００を装着者に装着させるため舟形にすると、吸収体５６も舟形に変形する。このとき、吸収体５６は、凹部７１を基点として変形する。トップシート３０における、包装シート５８の第２部分５８ｂのうち凹部７１と重なる部分に対向する部位（対向部３０ａ）が身体側に突出してしわが形成されるので、同トップシート３０上の他の部位ではしわが発生し難いものとなる。また、サイド弾性部材６３ａ、６３ｂ、・・・の存在により、吸収体５６は凹部７１を基点とする変形がより促されるとともに、対向部３０ａの起立もより際立つ。
【００９９】
図示例では、起き上がりギャザー６０の付根部分６５が、凹部７１と重なる部分を通り前後方向ＬＤに延びているため、この付根部分６５に、サイド弾性部材６３を内蔵させるのは好ましい。しかし、これに限定されるものではなく、起き上がりギャザー６０の付根部分６５は凹部７１と重なる部分より側方に離れていてもよく、そのような場合には、サイド弾性部材６３は凹部７１と重なる部分よりも側方の部分に配置されることとなる。また、図示しないが、例えば、立体ギャザー６０の付根部分６５が、吸収要素５０の裏側に位置しない構造では、液不透過性シート１１を凹部７１と重なる部分まで存在させ、包装シート５８と液不透過性シート１１との間にサイド弾性部材１３を設けたり、液不透過性シート１１及びカバー不織布１３を凹部７１と重なる部分まで存在させ、それらの間にサイド弾性部材１３を設けたりすることもできる。
【０１００】
サイド弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、２００〜３００％が好ましく、２４０〜２９０％がより好ましい。
【０１０１】
＜明細書中の用語の説明＞
明細書中で以下の用語が使用される場合、明細書中に特に記載がない限り、以下の意味を有するものである。
・「前後（縦）方向」とは腹側（前側）と背側（後側）を「前後方向」とは図中に符号ＬＤで示す方向（縦方向）を意味し、「幅方向」とは図中にＷＤで示す方向（左右方向）を意味し、前後方向と幅方向とは直交するものである。し、「幅方向」とは前後方向と直交する方向（左右方向）を意味する。
【０１０２】
・「内側」とは装着者の肌に近い方を意味し、「外側」とは装着者の肌から遠い方を意味する。「内面」とは部材の、装着者の肌に近い方の面を意味し、「外面」とは装着者の肌から遠い方の面を意味する。
【０１０３】
・「ＬＤ方向」及び「ＷＤ方向」とは、製造設備における流れ方向（ＬＤ方向）及びこれと直交する横方向（ＷＤ方向）を意味し、いずれか一方が製品の前後方向となるものであり、他方が製品の幅方向となるものである。不織布のＬＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１０４】
・「展開状態」とは、収縮や弛み無く平坦に展開した状態を意味する。
【０１０５】
・「伸長率」は、自然長を１００％としたときの値を意味する。例えば、伸長率が２００％とは、伸長倍率が２倍であることと同義である。
【０１０６】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置した後常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１０７】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【０１０８】
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
【０１０９】
・「吸水量」は、ＪＩＳ  Ｋ７２２３−１９９６「高吸水性樹脂の吸水量試験方法」によって測定する。
【０１１０】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１１】
・試験や測定における環境条件についての記載がない場合、その試験や測定は、標準状態（試験場所は、温度２３±１℃、相対湿度５０±２％）の試験室又は装置内で行うものとする。
【０１１２】
・各部の寸法は、特に記載がない限り、自然長状態ではなく展開状態における寸法を意味する。
【産業上の利用可能性】
【０１１３】
本発明は、上記例のようなテープタイプ使い捨ておむつの他、パンツタイプ使い捨ておむつやパッドタイプ使い捨ておむつ等、使い捨ておむつ全般に適用できるものであり、また、生理用ナプキン等の他の着用物品にも適用できることはいうまでもない。
【符号の説明】
【０１１４】
１１…液不透過性樹脂フィルム、１２…外装不織布、１３…連結テープ、１３Ａ…連結部、１３Ｂ…テープ本体部、１３Ｃ…テープ取付部、２０…ターゲットシート、２１…側縁部、３０…トップシート、４０…中間シート、５０…吸収要素、５６…吸収体、５６Ｗ…吸収体幅、５８…包装シート、５８ａ…第１部分、５８ｂ…第２部分、６０…起き上がりギャザー、６２…ギャザーシート、７１…凹部、弾性部材…６３、Ｂ…背側部分、Ｆ…腹側部分
【図１】
2020049017.tif 000003
【図２】
2020049017.tif 000004
【図３】
2020049017.tif 000005
【図４】
2020049017.tif 000006
【図５】
2020049017.tif 000007
【図６】
2020049017.tif 000008
【図７】
2020049017.tif 000009
【図８】
2020049017.tif 000010
【図９】
2020049017.tif 000011
【図１０】
2020049017.tif 000012
【図１１】
2020049017.tif 000013
【図１２】
2020049017.tif 000014
【図１３】
2020049017.tif 000015
【図１４】
2020049017.tif 000016
【図１５】
2020049017.tif 000017
【図１６】
2020049017.tif 000018
【図１７】
2020049017.tif 000019